【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
地図画像の一部の範囲を表示範囲として表示領域に表示できる情報処理装置であって、
位置情報が対応づけられているオブジェクトを、前記表示領域の地図画像上のうち前記位置情報に基づく位置に表示させるオブジェクト表示手段と、
ユーザ操作に応じた指示を受け付ける操作手段と、
前記操作手段により、前記地図画像の表示範囲を移動させる指示が受け付けられた場合、前記地図画像を指示された方向に移動して表示させる表示制御手段とを有し、
前記地図画像の表示範囲を移動させる指示には方向の情報が含まれ、
前記操作手段により受け付けられた前記地図画像の表示範囲を移動させる指示が第１の条件を満たす場合、前記表示制御手段は、前記指示を受け付けた際に表示領域内に表示されていないオブジェクトが表示されるまで前記表示範囲を移動させた後に、前記表示範囲の移動を停止させるよう制御することを特徴とする情報処理装置。
【請求項２】
前記操作手段により受け付けられた前記地図画像の表示範囲を移動させる指示が前記第１の条件を満たさない場合、前記表示制御手段は前記指示に応じた位置まで前記表示範囲を移動させた後に、前記表示範囲の移動を停止させるよう制御する請求項１の情報処理装置。
【請求項３】
前記操作手段により受け付けられた前記地図画像の表示範囲を移動させる指示に含まれる方向の情報と、現在の表示範囲とに基づき決定される検索範囲に含まれるオブジェクトを検索する検索手段を更に有し、
前記操作手段により受け付けられた前記地図画像の表示範囲を移動させる指示が前記第１の条件を満たす場合、前記表示制御手段は前記検索手段により検索されたオブジェクトが表示されるまで前記表示範囲を移動させた後に、前記表示範囲の移動を停止させるよう制御する請求項１または２に記載の情報処理装置。
【請求項４】
前記検索範囲にオブジェクトがない場合、前記表示制御手段は前記指示に応じた位置まで前記表示範囲を移動させた後に、前記表示範囲の移動を停止させるよう制御する請求項３に記載の情報処理装置。
【請求項５】
前記操作手段により受け付けられた前記地図画像の表示範囲を移動させる指示に含まれる方向の情報と、現在の表示範囲とに基づき決定される検索範囲に含まれるオブジェクトを検索する検索手段を更に有し、
前記操作手段により受け付けられた前記地図画像の表示範囲を移動させる指示が前記第１の条件を満たす場合、前記表示制御手段は前記指示に応じた表示範囲の移動を開始させ、前記表示制御手段は前記検索手段により検索されたオブジェクトが表示される位置で前記表示範囲の移動を停止させるよう制御する請求項１に記載の情報処理装置。
【請求項６】
前記操作手段により受け付けられた前記地図画像の表示範囲を移動させる指示が前記第１の条件を満たす場合、前記表示制御手段は、前記表示範囲の移動を、第２の条件を満たすオブジェクトが表示されるまで前記表示範囲を移動させた後に、前記表示範囲の移動を停止させるよう制御する請求項１または２に記載の情報処理装置。
【請求項７】
前記第１の条件と、前記第２の条件とを対応づける対応付け手段を更に有し、
前記操作手段により受け付けられた前記地図画像の表示範囲を移動させる指示が前記第１の条件を満たす場合、前記表示制御手段は、前記第１の条件に対応する前記第２の条件を満たすオブジェクトが表示されるまで前記表示範囲を移動させた後に、前記表示範囲の移動を停止させるよう制御することを特徴とする請求項６に記載の情報処理装置。
【請求項８】
前記オブジェクトは画像データに関する情報であり、
前記第２の条件は、前記画像データの属性情報に基づき設定されることを特徴とする請求項６または７に記載の情報処理装置。
【請求項９】
前記オブジェクトは画像データに関する情報であり、
前記第２の条件は、前記画像データのレーティングに関する情報、前記画像の撮像日時に関する情報のうち、少なくとも一つに基づき設定されることを特徴とする請求項６または７に記載の情報処理装置。
【請求項１０】
前記第１の条件は、前記ユーザの操作に基づき設定されることを特徴とする請求項１乃至９のいずれか１項に記載の情報処理装置。
【請求項１１】
前記操作手段はタッチパネルを含み、
前記第１の条件は、フリック操作である、フリック速度が所定の速度以上である、時間当たりのフリック回数が所定回数以上である、およびフリック距離が所定の距離以上である、のうち、少なくとも一つを含む請求項１乃至９のいずれか１項に記載の情報処理装置。
【請求項１２】
前記表示範囲を移動させるためのアイコンを前記表示領域に表示するよう制御するアイコン表示制御手段と、
前記アイコンの選択を受け付けることにより、前記表示範囲を移動させるための指示を受け付けることが可能な受け付け手段とを更に有し、
前記第１の条件は、前記アイコンが一定時間以上選択されている状態であること、前記アイコンが一定時間以内に複数回選択されたことのうち、少なくとも一つを含むことを特徴とする請求項１乃至１１のいずれか１項に記載の情報処理装置。
【請求項１３】
被写体を撮像して画像データを生成する撮像手段を更に有し、
前記オブジェクトは前記撮像手段により生成された画像データに関連付けられている請求項１乃至１２のいずれか１項に記載の情報処理装置。
【請求項１４】
ＥＸＩＦ−ＪＰＥＧの規格に従った画像データを保持する保持手段を更に有し、
前記オブジェクトは前記保持手段により保持されている画像データに関連付けられている請求項１乃至１３のいずれか１項に記載の情報処理装置。
【請求項１５】
画像データを保持する保持手段を更に有し、
前記オブジェクトに対応づけられている位置情報は、前記保持手段により保持されている画像データのうち、対応する画像データのヘッダ領域に記録されていることを特徴とする請求項１乃至１３のいずれか１項に記載の情報処理装置。
【請求項１６】
外部装置と通信する通信手段を更に有し、
前記地図画像は前記通信手段を介して前記外部装置から受信する請求項１乃至１５のいずれか１項に記載の情報処理装置。
【請求項１７】
前記通信手段は、前記外部装置とＨｙｐｅｒｔｅｘｔ  Ｔｒａｎｓｆｅｒ  Ｐｒｏｔｏｃｏｌに従った通信により、前記地図画像を受信する請求項１６に記載の情報処理装置。
【請求項１８】
地図画像の一部の範囲を表示範囲として表示領域に表示できる情報処理装置の制御方法であって、
位置情報が対応づけられているオブジェクトを、前記表示領域の地図画像上のうち前記位置情報に基づく位置に表示させ、
前記地図画像の表示範囲を移動させる指示、前記指示には方向の情報が含まれる、を受け付け、
前記地図画像の表示範囲を移動させる指示が第１の条件を満たす場合、前記指示を受け付けた際に表示領域内に表示されていないオブジェクトが表示されるまで前記表示範囲を移動させた後に、前記表示範囲の移動を停止させるよう制御することを特徴とする情報処理装置の制御方法。
【請求項１９】
コンピュータを、請求項１乃至１７のいずれか１項に記載の情報処理装置の各手段として機能させるための、コンピュータが読み取り可能なプログラム。
【手続補正２】
【補正対象書類名】明細書
【補正対象項目名】０００５
【補正方法】変更
【補正の内容】
【０００５】
上述の課題を解決するために、本願発明の情報処理装置は、地図画像の一部の範囲を表示範囲として表示領域に表示できる情報処理装置であって、位置情報が対応づけられているオブジェクトを、前記表示領域の地図画像上のうち前記位置情報に基づく位置に表示させるオブジェクト表示手段と、ユーザ操作に応じた指示を受け付ける操作手段と、前記操作手段により、前記地図画像の表示範囲を移動させる指示が受け付けられた場合、前記地図画像を指示された方向に移動して表示させる表示制御手段とを有し、前記地図画像の表示範囲を移動させる指示には方向の情報が含まれ、前記操作手段により受け付けられた前記地図画像の表示範囲を移動させる指示が第１の条件を満たす場合、前記表示制御手段は、前記指示を受け付けた際に表示領域内に表示されていないオブジェクトが表示されるまで前記表示範囲を移動させた後に、前記表示範囲の移動を停止させるよう制御することを特徴とする。